【手続補正書】
【提出日】平成16年4月1日(2004.4.1)
【手続補正１】
【補正対象書類名】明細書
【補正対象項目名】特許請求の範囲
【補正方法】変更
【補正の内容】
【特許請求の範囲】
【請求項１】  双方向無線通信が可能な複数の基地局を有し、
前記複数の基地局は、それぞれの地理的位置に配置され、対応する複数のサービス・エリアを定義し、
前記複数のサービス・エリアは、互いに重なり合って１以上の領域を構成する、携帯無線通信システムと共に用いられる携帯ユニットであって、
受信器と、
当該携帯ユニットを制御する制御手段と、
所定の一のサービス・エリアを前記制御手段に入力する手段とを有し、
前記制御手段は、当該携帯ユニットの隣接サービス・エリアから前記所定の一のサービス・エリアへの進入を認識することができ、
当該携帯ユニットのユーザに前記所定の一のサービス・エリアへの進入について通知する手段を更に有する、ことを特徴とする携帯ユニット。
【請求項２】  請求項１記載の携帯ユニットであって、
送信器を更に有し、
前記基地局と双方向無線通信が可能である、ことを特徴とする携帯ユニット。
【請求項３】  請求項１又は２記載の携帯ユニットであって、
前記所定の一のサービス・エリアは、対応する基地局の識別コードによって識別される、ことを特徴とする携帯ユニット。
【請求項４】  請求項１乃至３のいずれか一項記載の携帯ユニットであって、
ユーザは、音声アラーム、視覚的アラーム、又は機械的アラームによって通知される、ことを特徴とする携帯ユニット。
【請求項５】  請求項１乃至４のいずれか一項記載の携帯ユニットであって、
ユーザによって選択されたサービス・エリアを前記所定の一のサービス・エリアとして識別する情報を前記制御手段内に入力するためのユーザ操作手段を有する、ことを特徴とする携帯ユニット。
【請求項６】  請求項１乃至５のいずれか一項記載の携帯ユニットであって、
ユーザが現在のサービス・エリアを前記所定の一のサービス・エリアとして定義するように前記制御手段に命令することを可能にする手段を有する、ことを特徴とする携帯ユニット。
【手続補正２】
【補正対象書類名】明細書
【補正対象項目名】０００４
【補正方法】変更
【補正の内容】
【０００４】
本発明に係る携帯ユニットは、双方向無線通信が可能な複数の基地局を有し、前記複数の基地局は、それぞれの地理的位置に配置され、対応する複数のサービス・エリアを定義し、前記複数のサービス・エリアは、互いに重なり合って１以上の領域を構成する、携帯無線通信システムと共に用いられる携帯ユニットであって、受信器と、当該携帯ユニットを制御する制御手段と、所定の一のサービス・エリアを前記制御手段に入力する手段とを有し、前記制御手段は、当該携帯ユニットの隣接サービス・エリアから前記所定の一のサービス・エリアへの進入を認識することができ、当該携帯ユニットのユーザに前記所定の一のサービス・エリアへの進入について通知する手段を更に有する。
【手続補正３】
【補正対象書類名】明細書
【補正対象項目名】０００５
【補正方法】変更
【補正の内容】
【０００５】
このような携帯ユニットは、現存の携帯無線通信インフラを修正無しで用いながら、ユーザに位置アラームを提供するために用いられ得る。こうして、本携帯ユニットは、従来の専用送信インフラを必要としない。現存の携帯無線通信インフラを用いると、所定の一のサービス・エリアが対応する基地局の識別コードによって識別される場合に便利である。
【手続補正４】
【補正対象書類名】明細書
【補正対象項目名】０００６
【補正方法】変更
【補正の内容】
【０００６】
携帯ユニットは、送信器を更に有し、前記基地局と双方向無線通信が可能であることが理想的である。本発明が従来の携帯無線通信インフラを利用するため、双方向携帯通信ユニット、例えば携帯電話、は一体化された位置アラームと共に容易に提供され得る。
【手続補正５】
【補正対象書類名】明細書
【補正対象項目名】０００７
【補正方法】変更
【補正の内容】
【０００７】
位置は、ユーザ・インターフェースを通じて、音声アラーム、視覚的アラーム、又は機械的アラームで、ユーザに伝達され得る。音声アラーム又は視覚的アラームに関して、従来の携帯電話が、一般的に、ユーザに情報を提供する視覚的ディスプレイと、ユーザに着信を知らせる音声アラームとを有する場合、特に便宜である。
【手続補正６】
【補正対象書類名】明細書
【補正対象項目名】０００８
【補正方法】変更
【補正の内容】
【０００８】
ユーザは、ユーザが選択したサービス・エリアを所定の一のサービス・エリアとして識別するための情報を、ユーザ・インターフェースを通じて、制御手段に予めプログラムし得ることが好ましい。
【手続補正７】
【補正対象書類名】明細書
【補正対象項目名】０００９
【補正方法】変更
【補正の内容】
【０００９】
代替的に又は追加的に、ユーザは、現在のサービス・エリアを所定の一のサービス・エリアとして定義するように、ユーザ・インターフェースを通じて、制御手段に命令し得る。これにより、ユーザは、「ホーム」サービス・エリアを設定することができる。
【手続補正８】
【補正対象書類名】明細書
【補正対象項目名】００１０
【補正方法】変更
【補正の内容】
【００１０】
ここで、添付図面を参照し、本発明の例示的実施形態を説明する。
【手続補正９】
【補正対象書類名】明細書
【補正対象項目名】００１４
【補正方法】変更
【補正の内容】
【００１４】
本発明によれば、プロセッサ２は、対応する基地局識別番号によって、所定の一のサービス・エリアＳＡ１を識別するために、予めプログラムされる。プロセッサは、携帯電話の隣接サービス・エリアＳＡ２、ＳＡ６、及びＳＡ７から上記サービス・エリアへの進入を認識するように構成され、このような進入があると、それによってユーザに通知するための音声アラームを生成するようにスピーカ６に命令信号を送信する。このアラームは、キーパッド９上の適切なキーを押すことによって終了させられ得る。
【手続補正１０】
【補正対象書類名】明細書
【補正対象項目名】００１５
【補正方法】変更
【補正の内容】
【００１５】
ユーザは、位置アラームを設定する機能に対応するキーパッド９上のボタンを押すことによって、所定の一のサービス・エリアＳＡを予めプログラムすることが可能である。そこで、所定の一のサービス・エリアは、ボタンを押す時にユーザによって占められているサービス・エリアに構成されるか、或いは、ボタンを押した時に該電話がいずれの基地局ＢＳにも登録されていない場合、該携帯電話が登録した次の基地局に関連付けられたサービス・エリアに構成される。別の方法として、ユーザは、キーパッド上で基地局識別番号に何らかの方法で関連付けられた適切な位置コードを入力することによって所定の一のサービス・エリアを予めプログラムすることができる。
【手続補正１１】
【補正対象書類名】明細書
【補正対象項目名】００１６
【補正方法】変更
【補正の内容】
【００１６】
代替的に又は追加的に、上記アラームは、ディスプレイ１０上に表示されたグラフィック若しくは文字によって、又は、振動などの機械的手段によって、提供され得る。
【手続補正１２】
【補正対象書類名】明細書
【補正対象項目名】００１７
【補正方法】変更
【補正の内容】
【００１７】
携帯電話１は、例えば、家から仕事場まで電車で移動するユーザが所定の一のサービス・エリアを地元の電車の駅に対応するサービス・エリアに予めプログラムするというシナリオにおいて用いられ得る。電車で戻る際、（携帯電話を有する）ユーザが地元の電車の駅に近づくと、携帯電話は所定の一のサービス・エリアに対応する基地局に登録され、アラームが鳴る。このようなアラームは、電車で眠ってしまったユーザ、若しくは電車の進行に注意を払っていないユーザがそれぞれの駅を逃してしまうことを回避し得る。